(57)【要約】【課題】複数の電話番号のうちの専用番号が割当てられる子機から発信する場合に、発信元番号として、親機に割当てられる共有番号か、専用番号かを条件に応じて選択可能にする。【解決手段】ＶｏＩＰ親機１０１は、ｘＤＳＬで多重化されるデジタル加入者線に接続され、複数の電話番号が割当てられる。ＶｏＩＰ親機１０１には、共有番号が割当てられ、ＶｏＩＰ子機２０１には専用番号が割当てられる。ＶｏＩＰ子機２０１から発信する際に、専用番号または共有発信元番号のいずれを通知するかは、メモリ１０５，２０５の電話帳１０６，２０６の両方に登録されている相手にのみ専用番号を通知するなど、登録内容を条件として選択することができる。【選択図】      図１
2004193802.tif 000002
【特許請求の範囲】
【請求項１】
電話通信網に接続され、音声、映像、データのうちの少なくともいずれか、または組合せについての通信が可能な第１端末と、１または複数の無線により第１端末と接続される第２端末とを含み、第１端末には共有番号が割当てられ、第２端末には共有番号とは異なる個別の専用番号が割当てられ、発信時には、発信元番号を通知する通信装置であって、
第２端末からの発信の場合に、該第２端末の専用番号または共有番号のいずれをアナログ回線もしくは専用回線に通知するかを、予め設定される発信毎の条件に従って選択する選択手段と、
第１端末に設けられ、第２端末から発信する際に、専用番号または共有番号のいずれかを選択手段に従って選択し、発信元番号としてアナログ回線もしくは専用回線に通知する通知手段とを含むことを特徴とする通信装置。
【請求項２】
電話通信網に接続される親機と１または複数の子機とを含み、親機には共有番号が割当てられ、子機には共有番号とは異なる個別の専用番号が割当てられ、発信時には、発信元番号を通知する電話通信装置であって、
子機からの発信の場合に、該子機の専用番号または共有番号のいずれを電話通信網に通知するかを、予め設定される発信毎の条件に従って選択する選択手段と、
親機に設けられ、子機から発信する際に、専用番号または共有番号のいずれかを選択手段に従って選択し、発信元番号として電話通信網に通知する通知手段とを含むことを特徴とする電話通信装置。
【請求項３】
前記選択手段は、
前記専用番号を選択すべき相手の電話番号を登録する登録手段を有し、
発信する相手の電話番号が登録手段に登録されていることを、前記条件のうちで専用番号を選択するための選択条件に含めることを特徴とする請求項２記載の電話通話装置。
【請求項４】
前記登録手段には、登録される電話番号毎に、前記専用番号または前記共有番号のいずれを通知するかの指定情報が登録され、
前記選択手段は、発信する相手の電話番号とともに、専用番号を通知する指定情報が登録手段に登録されていることを、前記選択条件に含めることを特徴とする請求項３記載の電話通話装置。
【請求項５】
前記子機は、前記登録手段に登録されている電話番号を指定して発信可能な電話帳機能を備え、
前記選択手段は、前記選択条件を満たす電話番号の相手が、電話帳機能によって指定されることを、前記選択条件に含めることを特徴とする請求項３または４記載の電話通信装置。
【請求項６】
前記親機は、前記共有番号を通知すべき相手の電話番号を登録する親機登録メモリを備え、
前記通知手段は、前記選択手段によって前記専用番号を通知するように選択される相手の電話番号が、親機登録メモリに登録されていない場合のみ、専用番号を発信元番号として通知し、他の場合は共有番号を通知することを特徴とする請求項２〜５のいずれかに記載の電話通信装置。
【請求項７】
前記選択手段は、
前記子機からの発信の場合に、該子機の専用番号または共有番号のいずれを通知するかの指定操作が可能な操作手段を有し、
操作手段に、専用番号を通知する指定操作がなされていることを前記専用番号を通知するための条件に含めることを特徴とする請求項２〜６のいずれかに記載の電話通信装置。
【請求項８】
前記親機は、前記電話通信網として、データ通信網を介するデジタル電話通信によって、該親機自体の通信、および前記子機の通信の中継を行うことを特徴とする請求項２〜７のいずれかに記載の電話通信装置。
【請求項９】
前記親機は、前記デジタル電話通信を、公衆電話回線網を介するアナログ電話通信を行うための加入者線に、高周波信号を重畳させて実現するデジタル加入者線を介して行うことを特徴とする請求項８記載の電話通信装置。
【請求項１０】
前記親機は、該親機自体、または前記子機からの発信時に、相手の電話番号に基づいて、前記アナログ電話通信または前記デジタル電話通信のいずれかを選択するように判定する判定手段をさらに含むことを特徴とする請求項９記載の電話通信装置。
【発明の詳細な説明】
【０００１】
【発明の属する技術分野】
本発明は、発信時に発信元番号を電話通信網に通知する機能を有し、複数の電話番号が割当てられる電話通信装置に関する。
【０００２】
【従来の技術】
従来から、電話通信装置を接続する公衆電話回線網（以下、「ＰＳＴＮ」と略称することがある。）などでは、発信者からの発呼で着信者側を呼出す際に、発信者の電話番号を発信元番号として通知するサービスが行われている。着信者側では、発信元番号を見て応答するか否かを判断したり、留守時などには着信記録として残し、後から返信するためなどに広く利用している。
【０００３】
総合サービスデジタル網（以下、「ＩＳＤＮ」と略称することがある。）では、ダイレクトダイヤルイン（以下、「ＤＤＩ」と略称することがある。）サービスが提供され、複数の電話機に対して代表番号と個別のダイレクトダイヤルイン着信番号とが割当てられる。ＤＤＩサービスが提供されるＤＤＩ回線に発信する際に、代表番号とダイレクトダイヤルイン着信番号とのうちのいずれを選択して発信者番号として着信先に通知するかを、予め設定可能な電話装置は、たとえば、特許文献１で提案されている。この特許文献１には、予めメモリに代表番号を通知するか、各電話機に対応するＤＤＩ着信番号を通知するかの選択結果を記憶させておき、その結果に従って発信者番号として通知する方法が記載されている。この方法では、ダイレクトダイヤルイン設定の端末から発呼した場合、発呼先に係わらずダイレクトダイヤルイン番号通知設定であればダイレクトイン番号のみの通知、代表者番号通知設定であれば代表者番号のみの通知が行われる。
【０００４】
近年、インターネットなどのデジタルデータ通信を利用するために、ブロードバンド化されている通信線の利用などのインフラストラクチャが整備されている。ＶｏＩＰ（Ｖｏｉｃｅ  ｏｖｅｒ  Ｉｎｔｅｒｎｅｔ  Ｐｒｏｔｏｃｏｌ）などのプロトコルの標準化もなされ、デジタル通信網を介する電話通信も可能になっている。たとえば、ＡＤＳＬ（Ａｓｙｍｍｅｔｒｉｃ  Ｄｉｇｉｔａｌ  Ｓｕｂｓｃｒｉｂｅｒ  Ｌｉｎｅ  ）は、ＰＳＴＮの局交換機と電話機とを接続する加入者線に、高周波信号を重畳させてブロードバンド化し、高速のデジタル通信を可能にする技術である。同様の技術は、ｘＤＳＬと総称されている。ＡＤＳＬでは、局側への上りの通信速度よりも電話機への下りの通信速度の方が大きい非対称性を有しているけれども、上りの通信速度でもＶｏＩＰ利用の電話通信には充分であり、複数の回線を同時に利用することができる。インターネットに接続するためには、ＣＡＴＶ（ＣＡｂｌｅ  ＴｅｌｅＶｉｓｉｏｎ）の配信ケーブルや、ＦＴＴＨ（Ｆｉｂｅｒ  Ｔｏ  Ｔｈｅ  Ｈｏｍｅ  ）などの光ファイバに代表されるブロードバンド化されている通信線を使用することも可能になっている。
【０００５】
インターネットは、国際的にも膨大な情報の伝達が行われている既設のデジタル通信網を利用して電話通信を行うので、通信距離などによらず、新たに発生する費用を抑えて電話通信を行うことができる。中間にインターネットを介在させ、発信者とインターネットとの間、およびインターネットと着信者との間にＰＳＴＮを介在させることも可能である。この場合、基本的には、発信元番号として、発信者の電話番号ではなく、インターネットと着信者の間に介在する着信者側のゲートウェイ装置の電話番号が通知されてしまう。たとえば特許文献２には、このような場合でも、発信者の発呼端末の電話番号などの発信者情報を、発信者とインターネットとの間に介在する発信者側のゲートウェイ装置から着信者側のゲートウェイ装置通知し、着信者側のゲートウェイ装置が発信者情報を着信者に通知する発信者情報通知方法が記載されている。
【０００６】
【特許文献１】
特開平５−３０４６９０号公報
【特許文献２】
特開平１１−１６４０１８号公報
【０００７】
【発明が解決しようとする課題】
ｘＤＳＬ伝送システムでデジタル信号の変復調を行うｘＤＳＬモデムを備えたり、ＣＡＴＶやＦＴＴＨの伝送システムに適合したモデムを備えてブロードバンド化されている通信線に接続されるＶｏＩＰ電話機では、複数の電話回線を同時に利用することが可能である。複数の電話回線を同時に使用する場合、ブロードバンド化されている通信線には親機を接続し、親機に対して代表番号を割当て、１または複数の子機を親機と接続して、子機にダイレクトダイヤルイン番号を割当てることによって、ダイレクトダイヤルインサービスと同様な機能をＶｏＩＰ電話機に備えることが考えられる。特許文献２のように、発信時に発信元番号を通知する機能を設ける場合は、子機からの発信時に、発信元番号として共有の代表番号を通知するか専用のダイレクトダイヤルイン番号を通知するかを、予め設定しておくことになる。
【０００８】
この場合、たとえば、ＶｏＩＰ電話機を家族で使用しており、子機にダイレクトダイヤルイン番号を設定し、娘専用とし、ダイレクトダイヤルイン番号通知設定しておくことが考えられる。このような設定では、家族共通の親類などでダイレクトダイヤルイン番号を知らせたくない相手でも、子機から発呼する時、ダイレクトダイヤルイン番号が相手に伝わってしまう課題がある。
【０００９】
ダイレクトダイヤルイン番号を相手に知らせたくない場合には、常に、発信者番号を非通知に設定するという方法もある。ただし、相手先の電話機に、発信元番号が非通知であれば着信を拒否する機能が設けられている場合がある。この場合、相手先で番号非通知着信拒否設定されている時には、接続することができないため、何らかの発信者番号を通知せざるを得ない。相手先の電話機には、着信時に、発信元番号を表示する機能が設けられる場合もあり、相手がその表示を見て応答するか否かを判断するときは、代表番号を通知しても応答してもらえない可能性もある。また相手の電話機に、着信記録を利用して返信する機能が設けられている場合もあり、代表番号を通知すると、専用の電話機に返信することができなくなってしまう。
【００１０】
本発明の目的は、複数の電話番号のうちの専用番号が割当てられる子機から発信する場合に、発信元番号として、親機に割当てられる共有番号か、専用番号かを条件に応じて選択可能な電話通信装置を提供することである。
【００１１】
【課題を解決するための手段】
本発明は、電話通信網に接続され、音声、映像、データのうちの少なくともいずれか、または組合せについての通信が可能な第１端末と、１または複数の無線により第１端末と接続される第２端末とを含み、第１端末には共有番号が割当てられ、第２端末には共有番号とは異なる個別の専用番号が割当てられ、発信時には、発信元番号を通知する通信装置であって、
第２端末からの発信の場合に、該第２端末の専用番号または共有番号のいずれをアナログ回線もしくは専用回線に通知するかを、予め設定される発信毎の条件に従って選択する選択手段と、
第１端末に設けられ、第２端末から発信する際に、専用番号または共有番号のいずれかを選択手段に従って選択し、発信元番号としてアナログ回線もしくは専用回線に通知する通知手段とを含むことを特徴とする電話通信装置である。
【００１２】
本発明に従えば、電話通信装置は、第１端末と第２端末とを含み、発信時には、発信元番号を通知する機能を有する。第１端末は、電話通信網に接続されて、音声、映像、データのうちの少なくともいずれか、または組合せについての通信が可能であり、共有番号が割当てられる。第２端末は、第１端末と１または複数の無線により接続され、共有番号とは異なる専用番号が割当てられる。発信元番号を通知する機能に関し、電話通信装置は、選択手段と、通知手段とを含む。選択手段は、第２端末からの発信の場合に、該第２端末の専用番号または共有番号のいずれをアナログ回線もしくは専用回線に通知するかを、予め設定される発信毎の条件に従って選択するので、条件に応じて専用番号または共有番号を通知するかを、発信毎に選択することができる。通知手段は、第１端末に設けられ、第２端末から発信する際に、専用番号または共有番号のいずれかを選択手段に従って選択し、発信元番号としてアナログ回線もしくは専用回線に通知するので、選択手段による発信毎の選択に応じた発信元番号を、電話通信網に通知することができる。専用番号または共有番号のいずれかは発信番号として通知されるので、相手先で番号非通知着信拒否設定されていても、着信拒否を免れることができる。相手先などに応じて通知する発信元番号を選択可能であるので、専用番号を通知する場合と通知しない場合とを、適切に選択することができる。
【００１３】
さらに本発明は、電話通信網に接続される親機と１または複数の子機とを含み、親機には共有番号が割当てられ、子機には共有番号とは異なる個別の専用番号が割当てられ、発信時には、発信元番号を通知する電話通信装置であって、
子機からの発信の場合に、該子機の専用番号または共有番号のいずれを電話通信網に通知するかを、予め設定される発信毎の条件に従って選択する選択手段と、
親機に設けられ、子機から発信する際に、専用番号または共有番号のいずれかを選択手段に従って選択し、発信元番号として電話通信網に通知する通知手段とを含むことを特徴とする電話通信装置である。
【００１４】
本発明に従えば、電話通信装置は、電話通信網に接続される親機と１または複数の子機とを含み、親機には共有番号が割当てられ、子機には共有番号とは異なる個別の専用番号が割当てられ、発信時には、発信元番号を通知する機能を有する。発信元番号を通知する機能に関し、電話通信装置は、選択手段と、通知手段とを含む。選択手段は、子機からの発信の場合に、該子機の専用番号または共有番号のいずれを電話通信網に通知するかを、予め設定される発信毎の条件に従って選択するので、条件に応じて専用番号または共有番号を通知するかを、発信毎に選択することができる。通知手段は、親機に設けられ、子機から発信する際に、専用番号または共有番号のいずれか選択手段に従って選択し、発信元番号として電話通信網に通知するので、選択手段による発信毎の選択に応じた発信元番号を、電話通信網に通知することができる。専用番号または共有番号のいずれかは発信番号として通知されるので、相手先で番号非通知着信拒否設定されていても、着信拒否を免れることができる。相手先などに応じて通知する発信元番号を選択可能であるので、専用番号を通知する場合と通知しない場合とを、適切に選択することができる。
【００１５】
また本発明で、前記選択手段は、
前記専用番号を選択すべき相手の電話番号を登録する登録手段を有し、
発信する相手の電話番号が登録手段に登録されていることを、前記条件のうちで専用番号を選択するための選択条件に含めることを特徴とする。
【００１６】
本発明に従えば、登録手段に登録した電話番号の相手に発信するときに、専用番号を発信元番号として通知することができる。専用番号を通知する相手の電話番号を予め登録手段に登録しておくことによって、発信時の選択を相手先に合わせて自動的に行うことができる。登録手段は、各子機または親機のいずれか、あるいは子機および親機の両方に設けることができる。
【００１７】
また本発明で、前記登録手段には、登録される電話番号毎に、前記専用番号または前記共有番号のいずれを通知するかの指定情報が登録され、
前記選択手段は、発信する相手の電話番号とともに、専用番号を通知する指定情報が登録手段に登録されていることを、前記選択条件に含めることを特徴とする。
【００１８】
本発明に従えば、登録手段に登録している電話番号のうちで、専用番号または共有番号のいずれを通知するかの指定情報が登録されている電話番号の相手に発信するときに、専用番号を発信元番号として通知することができる。登録手段に登録されていても、指定情報で専用番号が指定されていなければ共有番号を通知するので、共有番号を通知する相手も登録手段に登録しておくことができる。
【００１９】
また本発明で、前記子機は、前記登録手段に登録されている電話番号を指定して発信可能な電話帳機能を備え、
前記選択手段は、前記選択条件を満たす電話番号の相手が、電話帳機能によって指定されることを、前記選択条件に含めることを特徴とする。
【００２０】
本発明に従えば、登録手段を、記憶している電話番号を一覧表示して指定される電話番号に発信したり、予め割当てられる短縮番号などに対応する電話番号に発信する電話帳機能でも利用可能にし、電話帳機能で指定される電話番号を相手として発信することを専用番号を通知する選択条件に含めるので、専用番号を通知する相手に対する発信を容易に行うことができる。同じ相手に対して、電話帳機能を使用しないで発信すれば、専用番号は通知されずに共有番号が通知されるので、登録手段に専用番号を通知するように登録している相手に対しても、共有番号を通知する発信を行うこともできる。
【００２１】
また本発明で、前記親機は、前記共有番号を通知すべき相手の電話番号を登録する親機登録メモリを備え、
前記通知手段は、前記選択手段によって前記専用番号を通知するように選択される相手の電話番号が、親機登録メモリに登録されていない場合のみ、専用番号を発信元番号として通知し、他の場合は共有番号を通知することを特徴とする。
【００２２】
本発明に従えば、親機に親機登録メモリを備え、親機登録メモリに登録している電話番号の相手に対して、子機が発信する際には、専用番号が選択されても、共有番号を通知するようにすることができる。共有番号を通知すべき相手には、専用番号が選択されても優先的に共有番号を通知することができる。
【００２３】
また本発明で、前記選択手段は、
前記子機からの発信の場合に、該子機の専用番号または共有番号のいずれを通知するかの指定操作が可能な操作手段を有し、
操作手段に、専用番号を通知する指定操作がなされていることを前記専用番号を通知するための条件に含めることを特徴とする。
【００２４】
本発明に従えば、子機の使用者が操作手段を操作して、専用番号を通知する指定操作がおこなわれることを条件として、専用番号の通知がなされるので、子機の使用者は発信毎の操作で、発信元番号をどのように選択するかを指定することができる。
【００２５】
また本発明で、前記親機は、前記電話通信網として、データ通信網を介するデジタル電話通信によって、該親機自体の通信、および前記子機の通信の中継を行うことを特徴とする。
【００２６】
本発明に従えば、データ通信網を介するデジタル電話通信を行うので、ブロードバンド化された通信線を使用すれば、同一の通信線で複数の回線を同時に使用することができ、複数の電話番号に対する着信処理を親機で行い、専用番号に対する着信は、親機から子機を指定して行わせることができる。
【００２７】
また本発明で、前記親機は、前記デジタル電話通信を、公衆電話回線網を介するアナログ電話通信を行うための加入者線に、高周波信号を重畳させて実現するデジタル加入者線を介して行うことを特徴とする。
【００２８】
本発明に従えば、デジタル加入者線は、公衆電話回線網を介するアナログ電話通信を行うための加入者線に、高周波信号を重畳させるＡＤＳＬなどのｘＤＳＬ伝送でデジタル通信網に親機を接続して実現するので、親機はアナログ電話通信とデジタル電話通信とを、同一の加入者線を接続している状態で行うことができる。しかもデジタル電話通信は、複数回線を同時に使用可能となるので、子機および親機は、それぞれ電話通信網を介して電話通信を行い、子機からは発信時に共有番号または専用番号のいずれかを選択して発信元番号として通知することができる。
【００２９】
また本発明で、前記親機は、該親機自体、または前記子機からの発信時に、相手の電話番号に基づいて、前記アナログ電話通信または前記デジタル電話通信のいずれかを選択するように判定する判定手段をさらに含むことを特徴とする。
【００３０】
本発明に従えば、発信時にアナログ電話通信またはデジタル電話通信のいずれかを選択するかを、相手の電話番号に基づいて判定手段によって判定し、発信元番号を相手に応じて選択して通知することができる。
【００３１】
【発明の実施の形態】
以下に、この本発明の電話通信装置について、実施の各形態を、図面を参照して説明する。実施の各形態で共通する部分には同一の参照符を付し、重複する説明を省略することがある。各実施形態の電話通信装置は、ＡＤＳＬなどのｘＤＳＬ技術でブロードバンド化されているＰＳＴＮの加入者線に接続され、相手先の電話番号に応じてＰＳＴＮを使用するアナログ電話通信を行うか、ＶｏＩＰを用いるデジタル電話通信を行うかを選択する。この選択は、通信コストや通信品質に基づいて行う。たとえば、市内などの近距離では、ＰＳＴＮを選択し、遠距離ではＶｏＩＰを選択すれば、低コストで通信を行うことができる。ＰＳＴＮの電話番号を指定してＶｏＩＰ通話を行っても、インターネット電話サービスを提供するＩＳＰ（Ｉｎｔｅｒｎｅｔ  Ｓｅｒｖｉｃｅ  Ｐｒｏｖｉｄｅｒ  ）などで、ＶｏＩＰ番号やＩＰアドレスに変換されるものとする。なお、ブロードバンド化された通信線を使用する場合、多重化して複数の電話回線を同時に使用することができる。
【００３２】
図１は、本発明の実施の第１形態であるＶｏＩＰ電話機１の概略的な電気的構成を示す。ＶｏＩＰ電話機１は、１台のＶｏＩＰ親機１０１を有する。ＶｏＩＰ親機１０１には、電話部１０２内に、音声コーデック１０３、制御ＣＰＵ１０４、およびメモリ１０５を有する。メモリ１０５内には、発信先となる電話番号や名前を登録しておくことができる電話帳１０６と、２以上の契約したＶｏＩＰ番号を、そのうちの一つを共有番号として、他を専用番号として登録するＶｏＩＰ番号登録帳１０７とが設けられる。ＶｏＩＰ親機１０１は、さらにｘＤＳＬモデム１０８、ハンドセット１０９、およびＲＦユニット１１０などを含む。
【００３３】
ＶｏＩＰ電話機１では、ＶｏＩＰ親機１０１に対して、１または複数のＶｏＩＰ子機２０１を使用することができる。ＶｏＩＰ子機２０１は、制御ＣＰＵ２０４、およびメモリ２０５を含む。メモリ２０５内には、電話帳２０６も設けられている。ＶｏＩＰ子機２０１には、ＶｏＩＰ親機１０１のＲＦユニット１１０と無線電波を介して通信可能に接続するためのＲＦユニット２１０も含まれる。
【００３４】
ＶｏＩＰ親機１０１とＶｏＩＰ子機２０１とは、無線電波を介するデータ通信によって接続される。可視光や赤外線などの光を利用する無線で接続することもできる。また、パラレルやシリアルの有線データ転送で、有線で接続することもできる。さらに、光ファイバを使用する有線接続も可能である。
【００３５】
音声コーデック１０３は、デジタル信号化されている音声をアナログ信号に変換して再生したり、アナログ信号として受入れる音声を、デジタル信号に変換して符号化したりする処理を受持つ。ハンドセット１０９は、送話器と受話器とを備え、ＶｏＩＰ親機１０１から取り上げるとフックスイッチがオフとなって、ＰＳＴＮに対して回線捕捉を開始するオフフックの状態になる。
【００３６】
図２は、ＶｏＩＰ親機１０１のメモリ１０５内に設けられているＶｏＩＰ番号登録帳１０７の記憶内容の一例を示す。この例では、図３は本発明請求項１実施例記載の親機メモリ内電話帳の一例である。ＶｏＩＰ番号登録帳１０７には、契約したＶｏＩＰ番号と、それぞれを共有番号とするのか、専用番号とするのかを設定登録する。ＶｏＩＰ番号は、インターネット電話サービスを提供するＩＳＰなどと契約することによって付与される。図２の場合では、“０８２４５６７８９０”を共有番号とし、“０５０１２３４５６７８”を専用番号（子機１専用）として設定登録している。ここでは説明の便宜のために記載しないけれども、３以上のＶｏＩＰ番号を契約した場合でも同様に設定登録することができる。
【００３７】
図３および図４は、ＶｏＩＰ親機１０１のメモリ１０５内、およびＶｏＩＰ子機２０１のメモリ２０５内に、それぞれ設けられている電話帳１０６および電話帳２０６の登録内容の一例を示す。電話帳１０６，２０６には、電話番号と名前が対応付けられて登録されている。
【００３８】
図５は、ＶｏＩＰ親機１０１の制御ＣＰＵ１０４による概略的な制御手順を示す。ステップａ０から手順を開始し、ステップａ１では、ＶｏＩＰ子機２０１との通信ネゴシエーションを行う。この通信ネゴシエーションの際に、ＶｏＩＰ子機２０１に発信操作が行われているときは、発信先の電話番号と、その電話番号がＶｏＩＰ子機２０１の電話帳２０６に登録されている番号か否かを示す情報がＶｏＩＰ子機２０１からＶｏＩＰ親機１０１に通知される。ステップａ２では、通知された相手先の電話番号がＶｏＩＰ子機２０１の電話帳２０６に登録されている電話番号か否かを、制御ＣＰＵ１０４が判断する。登録されていると判断するとき、ステップａ３で、その電話番号がＶｏＩＰ親機１０１の電話帳１０６にも登録されているか否かを、制御ＣＰＵ１０４が判断する。登録されていないと判断するときは、ステップａ４に進み、専用番号として与えられているＶｏＩＰ番号を発信元番号として通知する。ステップａ２でＶｏＩＰ子機２０１の電話帳２０６に登録されていないと判断するとき、またはステップａ３で、ＶｏＩＰ電話機２０１の電話帳２０６には登録されていても、ＶｏＩＰ親機１０１の電話帳１０６には登録されていないと判断するときは、ステップａ５に進み、共有番号として与えられているＶｏＩＰ番号を発信元番号として通知する。
【００３９】
図６は、ＶｏＩＰ子機２０１の制御ＣＰＵ２０４による概略的な制御手順を示す。ステップｂ０から手順を開始し、ステップｂ１では、ＶｏＩＰ子機２０１から発呼するのを待つ。ＶｏＩＰ子機２０１の利用者が発信する相手の電話番号を指定して発呼すると、ステップｂ２では、その電話番号が電話帳２０６に登録されている番号か否かを判断する。登録されていると制御ＣＰＵ２０４が判断するときは、ステップｂ３でＶｏＩＰ親機１０１との通信ネゴシエーションを行い、ステップｂ４ではＶｏＩＰ親機１０１に対して、電話帳登録番号であることを通知する。ステップｂ５では、発呼する相手先の電話番号を、ＶｏＩＰ親機１０１に対して通知する。ステップｂ２で、電話帳登録番号ではないと判断するときは、ステップｂ６でＶｏＩＰ親機１０１との通信ネゴシエーションを行い、ステップｂ７ではＶｏＩＰ親機１０１に対して、電話帳非登録番号であることを通知する。ステップｂ８では、発呼する相手先の電話番号を、ＶｏＩＰ親機１０１に対して通知する。
【００４０】
すなわち、ＶｏＩＰ子機２０１から発呼する場合、ＶｏＩＰ子機２０１の制御ＣＰＵ２０４は発呼する番号が電話帳２０６に登録されているか否かを判断する。電話帳２０６に登録されている番号であるならば、ＶｏＩＰ親機１０１との通信ネゴシエーションの後に、発呼番号が子機電話帳登録番号であることをＶｏＩＰ親機１０１に通知し、発呼番号を通知する。そして、電話帳２０６に登録されていない番号であるならば、ＶｏＩＰ親機２０１との通信ネゴシエーションの後に、発呼番号がＶｏＩＰ子機２０１の電話帳２０６に登録されていない、電話帳非登録番号であることをＶｏＩＰ親機２０１に通知し、発呼番号を通知する。ＶｏＩＰ親機１０１では、ＶｏＩＰ子機２０１との通信ネゴシエーションの後に通知される発呼番号が子機登録番号か否かを確認し、ＶｏＩＰ子機２０１の電話帳２０６の非登録番号であれば、次に通知される発呼番号の相手に対し、ＶｏＩＰ番号登録帳１０７に記憶されている共有番号を発信元番号として発呼する。そしてＶｏＩＰ子機２０１の電話帳２０６への登録番号であれば、次にくる発呼番号がＶｏＩＰ親機１０１の電話帳１０６に登録されている否か判断し、親機電話帳登録番号であればＶｏＩＰ番号登録帳１０７に記憶されている共有番号を発信元番号として発呼する。子機電話帳登録番号であっても、親機電話帳非登録番号であれば、ＶｏＩＰ番号登録帳１０７に記憶されている専用番号を発信元番号として発呼する。
【００４１】
たとえば、ＶｏＩＰ子機２０１から親機電話帳非登録番号で、かつ子機電話帳非登録番号である“０７００００１０００１”に対して発呼する場合、ＶｏＩＰ子機２０１の制御ＣＰＵ２０４は、発呼する番号が電話帳２０６に非登録と判断し、ＶｏＩＰ親機１０１との通信ネゴシエーションの後で、発呼番号が子機電話帳非登録番号であることをＶｏＩＰ親機１０１に通知し、その電話番号“０７００００１００００１”を通知する。ＶｏＩＰ親機１０１の電話部１０２内の制御ＣＰＵ１０４は、ＶｏＩＰ子機２０１から子機電話帳非登録番号であることが通知されたので、“０７００００１０００１”がＶｏＩＰ親機１０１の電話帳１０６に非登録と判断し、共有番号“０８２４５６７８９０”を発信元番号として”０７００００１０００”に発呼する。
【００４２】
また、ＶｏＩＰ子機２０１から親機電話帳登録番号で、かつ子機電話帳登録番号である“０４３２９９８８８８”を発呼する場合、ＶｏＩＰ子機２０１の制御ＣＰＵ２０４は、発呼する番号が電話帳２０６に登録されていると判断し、ＶｏＩＰ親機１０１との通信ネゴシエーションの後に、発呼番号が子機電話帳登録番号であることを親機に通知し、発呼先の電話番号として“０４３２９９８８８８”を通知する。ＶｏＩＰ親機１０１の電話部１０２内の制御ＣＰＵ１０４では、ＶｏＩＰ子機２０１より子機電話帳登録番号であることが通知されたので、“０４３２９９８８８８”がＶｏＩＰ親機１０１の電話帳１０６を確認し登録されていると判断し、共有番号“０８２４５６７８９０”を発信元番号として“０４３２９９８８８８”に発呼する。
【００４３】
そして、ＶｏＩＰ子機２０１から親機電話帳非登録番号で、かつ子機電話帳登録番号である“０８３４４４５６７”を発呼する場合、ＶｏＩＰ子機２０１の制御ＣＰＵ２０４は、発呼する番号が電話帳２０６に登録されていると判断し、ＶｏＩＰ親機１０１との通信ネゴシエーションの後に、発呼番号が子機電話帳登録番号であることを親機に通知し、“０８３４４４５６７”を通知する。ＶｏＩＰ親機１０１の電話部１０２内の制御ＣＰＵ１０４では、ＶｏＩＰ子機２０１より子機電話帳登録番号であることが通知されたので“０８３４４４５６７”はＶｏＩＰ親機１０１の電話帳１０６を確認して非登録と判断して、専用番号“０５０１２３４５６７８”を発信元番号として“０８３４４４５６７”に発呼する。
【００４４】
以上で説明しているように、本実施形態では、ＶｏＩＰ子機２０１から発信する場合、発信先の電話番号によって発信元番号の通知を変えることができる。
【００４５】
図７は、本発明の実施の第２形態であるＶｏＩＰ電話機３の概略的な電気的構成を示す。本実施形態のＶｏＩＰ電話機３は、１つのＶｏＩＰ親機３０１と１または複数のＶｏＩＰ子機４０１を有する。ＶｏＩＰ親機３０１は、電話部３０２内に、音声コーデック１０３、制御ＣＰＵ３０４およびメモリ３０５を持ち、メモリ３０５内に２つ以上を契約したＶｏＩＰ番号を共有番号および専用番号として登録するＶｏＩＰ番号登録帳１０７が設けられる。ＶｏＩＰ番号登録帳１０７には、図２に示すように、契約したＶｏＩＰ番号とそれぞれを共有番号とするのか、専用番号とするのかを設定登録する。ＶｏＩＰ親機３０１には、ｘＤＳＬモデム１０８、ハンドセット１０８、およびＲＦユニット１１０も含まれる。
【００４６】
ＶｏＩＰ子機４０１は、制御ＣＰＵ４０４およびメモリ４０５を含む。メモリ４０５内の電話帳４０６には、電話番号と名前と発呼時の通知番号を専用とするか共有とするかを指定する情報が登録されている。ＶｏＩＰ子機４０１には、さらにＲＦユニット２１０が含まれ、無線電波を介してＶｏＩＰ親機３０１と接続されるけれども、前述のように、接続は他の方法でも行うことができる。
【００４７】
図８は、ＶｏＩＰ子機４０１のメモリ４０５内に設けられる電話帳４０６に記憶されている情報の一例を示す。電話帳４０６内には、電話番号、名前、通知番号などが登録される。
【００４８】
図９は、ＶｏＩＰ親機３０１の制御ＣＰＵ３０４による概略的な制御手順を示す。ステップｃ０から手順を開始し、ステップｃ１ではＶｏＩＰ子機４０１との通信ネゴシエーションを行う。ステップｃ２では、ＶｏＩＰ子機４０１からの発信時に通知される発信元番号は、専用か否かを判断する。専用と判断するときは、ステップｃ３でＶｏＩＰ番号番号登録長１０７に登録されている専用番号を発信元番号として通知する。ステップｃ２で、ＶｏＩＰ子機４０１からの発信時に通知される発信元番号が専用はないと判断するときは、ステップｃ４でＶｏＩＰ番号番号登録長１０７に登録されている共有番号を発信元番号として通知する。
【００４９】
図１０は、ＶｏＩＰ子機４０１の制御ＣＰＵ４０４による概略的な制御手順を示す。ステップｄ０から手順を開始し、ステップｄ１では、ＶｏＩＰ子機４０１から発呼するのを待つ。ＶｏＩＰ子機４０１の利用者が発信する相手の電話番号を指定して発呼すると、ステップｄ２では、その電話番号が電話帳４０６に登録されている番号か否かを判断する。登録されていると制御ＣＰＵ４０４が判断するときは、ステップｄ３で、その番号について登録されている通知番号は、専用に登録されているか否かを判断する。専用と判断するときは、ステップｄ４でＶｏＩＰ親機３０１との通信ネゴシエーションを行い、ステップｄ５ではＶｏＩＰ親機３０１に対して、発信元番号は専用番号であることを通知する。ステップｄ６では、発呼する相手先の電話番号を、ＶｏＩＰ親機３０１に対して通知する。ステップｄ３で、通知番号は専用ではないと判断するときは、ステップｄ７でＶｏＩＰ親機３０１との通信ネゴシエーションを行い、ステップｄ８ではＶｏＩＰ親機３０１に対して、発信元番号は共有番号であることを通知する。ステップｄ９では、発呼する相手先の電話番号を、ＶｏＩＰ親機３０１に対して通知する。
【００５０】
すなわち、ＶｏＩＰ子機４０１から発呼する場合、ＶｏＩＰ子機４０１の制御ＣＰＵ４０４は、発呼する番号が電話帳４０６に登録されているか否かを判断し、電話帳４０６に登録されている番号であるならば、通知する番号は専用か否かを確認する。登録が専用であるならば、ＶｏＩＰ親機３０１との通信ネゴシエーションの後に、発信元番号が専用番号であることをＶｏＩＰ親機３０１に通知し、発呼番号を通知する。そして、他の場合には、ＶｏＩＰ親機３０１との通信ネゴシエーションの後に、発信元番号が共有番号であることをＶｏＩＰ親機３０１に通知し、発呼番号を通知する。ＶｏＩＰ親機３０１では、ＶｏＩＰ子機４０１との通信ネゴシエーションの後に通知される発信元番号が専用番号か共有番号かを確認し、専用番号であれば次にくる発呼番号に専用番号を発信元番号として発呼する。共有番号でれば次にくる発呼番号に共有番号を発信元番号として発呼する。
【００５１】
たとえばＶｏＩＰ子機４０１から“０７００００１０００１”を相手として発呼する場合、ＶｏＩＰ子機４０１の制御ＣＰＵ４０４は、図８の記憶内容に基づいて、発呼する番号が電話帳４０６に非登録と判断し、ＶｏＩＰ親機３０１との通信ネゴシエーションの後に発信元番号が共有番号であることを親機に通知し、“０７００００１０００１”を通知する。ＶｏＩＰ親機３０１の電話部３０２内の制御ＣＰＵ３０４では、ＶｏＩＰ子機４０１より発信元番号が共有番号であることが通知されたので、共有番号“０９２４５６７８９０”を発信元番号として“０７００００１０００”の番号の相手に発呼する。
【００５２】
また、ＶｏＩＰ子機４０１から“０４３２９９８８８８”を発呼する場合、ＶｏＩＰ子機４０１の制御ＣＰＵ４０４は、発呼する番号が電話帳４０６に登録されていると判断し、電話帳４０６の通知番号を参照して発信元番号は共有番号と判断する。ＶｏＩＰ親機３０１との通信ネゴシエーションの後に発信元番号が共有番号であることをＶｏＩＰ親機３０１に通知し、“０４３２９９８８８８”を通知する。ＶｏＩＰ親機３０１の電話部３０２内の制御ＣＰＵ３０４では子機より発信元番号が共有番号であることが通知されたので、共有番号“０８２４５６７８９０”を発信元番号として“０４３２９９８８８８”の相手に発呼する。
【００５３】
そして、ＶｏＩＰ子機４０１から“０８３４４４４５６７”を発呼する場合、ＶｏＩＰ子機４０１の制御ＣＰＵ４０４は発呼する番号が電話帳４０６に登録されていると判断し、電話帳４０６の通知番号を参照して、発信元番号は共有番号と判断する。ＶｏＩＰ親機３０１との通信ネゴシエーションの後に発信元番号が専用番号であることをＶｏＩＰ親機３０１に通知し、“０８３４４４４５６７”を通知する。ＶｏＩＰ親機３０１の電話部３０２内の制御ＣＰＵ３０４ではＶｏＩＰ子機４０１より発信元番号が専用番号であることが通知されたので、専用番号“０５０１２３４５６７８”を発信元番号として“０８３４４４４５６７”の相手に発呼する。
【００５４】
以上で説明しているように、ＶｏＩＰ子機４０１のメモリ４０５に登録されている発信先電話番号についての通知番号指定情報を変更すれば、登録されている番号について、発信元番号の通知を変更することができる。なお、ＶｏＩＰ子機４０１にメモリ４０５を設ける代りに、ＶｏＩＰ親機３０１にＶｏＩＰ子機４０１用のメモリを設け、ＶｏＩＰ子機４０１からその登録内容を参照して利用することもできる。さらに、メモリとしてＩＣカードなどの着脱可能な記録媒体を利用し、ＶｏＩＰ親機３０１とＶｏＩＰ子機４０１とのいずれに装着して使用することも可能とすることもできる。
【００５５】
なお、着脱可能な記録媒体をＶｏＩＰ親機３０１に装着して使用する場合でも、記録媒体を専用で使用するＶｏＩＰ子機４０１の専用番号を登録しておき、記録媒体に登録されている相手の番号に対しては、ＶｏＩＰ子機４０１の専用番号を通知するようにすることもできる。
【００５６】
また、実施の第１形態や第２形態で使用するメモリ１０５，２０５，４０５は、電話帳機能として、いったん登録してある電話番号を、再入力する必要がないように、選択する操作を行えば、その電話番号に発信する機能のために設けられる。したがって、専用番号を通知する条件として、このような電話帳機能を利用する発信操作を含めることもできる。逆に、専用番号を通知するように登録されている相手でも、都合が悪い場合は、電話帳機能を利用して発信しないようにすれば、共有番号を通知させることができる。
【００５７】
図１１は、本発明の実施の第３形態であるＶｏＩＰ電話機５の概略的な電気的構成を示す。本実施形態のＶｏＩＰ電話機５は、１つのＶｏＩＰ親機３０１と１または複数のＶｏＩＰ子機６０１を有する。すなわち、ＶｏＩＰ親機３０１は、図７の実施形態と基本的に同等である。本実施形態のＶｏＩＰ子機６０１は、制御ＣＰＵ６０４、操作部６１１およびＲＦユニット２１０を含む。ＶｏＩＰ親機３０１とは、無線電波を介して接続されるけれども、前述のように、接続は他の方法でも行うことができる。
【００５８】
図１２は、ＶｏＩＰ子機６０１の操作部６１１の概略的な構成を示す。操作部６１１には、発信元番号を通知する指定操作のための専用キー７０１が設けられる。また、ダイヤルキー７０２なども設けられる。図１１では省略しているけれども、メモリを設け、電話帳機能を備えることもできる。電話帳機能を備える場合は、図８に示すように登録されている番号や名前を、表示して選択するための表示器も備えられる。
【００５９】
図１３は、ＶｏＩＰ子機６０１の制御ＣＰＵ６０４による概略的な制御手順を示す。ステップｅ０から手順を開始し、ステップｅ１では、ＶｏＩＰ子機６０１から発呼するのを待つ。ＶｏＩＰ子機６０１の利用者が発信する相手の電話番号を指定して発呼すると、ステップｅ２では、発信元番号が専用であることを指定する専用キー７０１が押されているか否かを判断する。押されていると制御ＣＰＵ６０４が判断するときは、ステップｅ３でＶｏＩＰ親機３０１との通信ネゴシエーションを行い、ステップｅ４ではＶｏＩＰ親機３０１に対して、発信元番号は専用番号であることを通知する。ステップｅ５では、発呼する相手先の電話番号を、ＶｏＩＰ親機３０１に対して通知する。ステップｅ２で、専用キー７０１が押されていないと判断するときは、ステップｅ６でＶｏＩＰ親機３０１との通信ネゴシエーションを行い、ステップｅ７ではＶｏＩＰ親機３０１に対して、発信元番号は共有番号であることを通知する。ステップｅ８では、発呼する相手先の電話番号を、ＶｏＩＰ親機３０１に対して通知する。なお、ＶｏＩＰ親機３０１側では、図９に示すような制御手順が実行される。
【００６０】
すなわち、ＶｏＩＰ子機６０１から発呼する場合、ＶｏＩＰ子機６０１の制御ＣＰＵ６０４は操作部６１１内の“発信元番号：専用”を指定する専用キー７０１が押されたか否かを判断し、専用キー７０１が押されていた場合、ＶｏＩＰ親機３０１との通信ネゴシエーションの後に発信元番号が専用番号であることをＶｏＩＰ親機３０１に通知し、発呼番号を通知する。そして、専用キー７０１が押されていない場合、ＶｏＩＰ親機３０１との通信ネゴシエーションの後に発信元番号が共有番号であることをＶｏＩＰ親機３０１に通知し、発呼番号を通知する。ＶｏＩＰ親機３０１では、ＶｏＩＰ子機６０１との通信ネゴシエーションの後に通知される発信元番号が専用番号か共有番号かを確認し、専用番号であれば次にくる発呼番号に専用番号を発信元番号として発呼する。共有番号であれば次にくる発呼番号に共有番号を発信元番号として発呼する。
【００６１】
たとえばＶｏＩＰ子機６０１から“０７００００１０００１”を発呼する場合、ＶｏＩＰ子機６０１の制御ＣＰＵ６０４は、発呼する際に操作部６１１の専用キー７０１が押されているか否かを確認する。専用キー７０１が押されていなければ、ＶｏＩＰ親機３０１との通信ネゴシエーションの後に発信元番号が共有番号であることをＶｏＩＰ親機３０１に通知し、“０７００００１０００１”を通知する。ＶｏＩＰ親機３０１の電話部３０２内の制御ＣＰＵ３０４では、ＶｏＩＰ子機６０１より発信元番号が共有番号であることが通知されたので、共有番号“０８２４５６７８９０”を発信元番号として“０７００００１０００１”に発呼する。そして、専用キー７０１が押されていれば、ＶｏＩＰ親機３０１との通信ネゴシエーションの後に、発信元番号が専用番号であることをＶｏＩＰ親機３０１に通知し、“０７００００１０００１”を通知する。ＶｏＩＰ親機３０１の電話部３０２内の制御ＣＰＵ３０４では、ＶｏＩＰ子機６０１より発信元番号が専用番号であることが通知されたので、専用番号“０５０１２３４５６７８”を発信元番号として“０７００００１０００１”に発呼する。
【００６２】
本実施形態では、ＶｏＩＰ子機６０１からの発呼時の専用キー７０１操作によって発信元番号の通知を変えることができる。
【００６３】
以上で説明した各実施形態では、ＶｏＩＰ子機２０１，４０１，６０１から発呼する場合を説明しているけれども、ＶｏＩＰ親機１０１，３０１から発呼することはもちろん可能である。ＶｏＩＰ親機１０１，３０１から発呼する場合は、共有番号が発信元番号となる。また、ＶｏＩＰ親機１０１，３０１にＡＤＳＬ化したＰＳＴＮの加入者線を接続して、相手先に応じてＰＳＴＮによるアナログ通話かＶｏＩＰによるデジタル通話かを選択しているけれども、複数の電話番号を割当てて電話通信が可能であれば、本発明を適用するための通信線の形式や接続数は限定されない。また、電話通信に限らず、映像やデータ通信（ファクシミリ通信も含む）などにも同様に適用することができる。さらに、親機と子機との組合せばかりではなく、ホームＰＮＡと呼ばれる家庭内などの電話配線を利用するＬＡＮや、Ｂｌｕｅｔｏｏｔｈと呼ばれる方式の無線ＬＡＮなどを介して接続される複数のＶｏＩＰ電話機などの間でも、本発明を同様に適用することができる。
【００６４】
【発明の効果】
以上のように本発明によれば、第２端末からの発信の場合に、その第２端末の専用番号または第１端末の共有番号のいずれをアナログ回線もしくは専用回線に通知するかを、予め設定される発信毎の条件に従って選択するので、条件に応じて発信毎に選択することができる。専用番号または共有番号のいずれかは発信番号として通知されるので、相手先で番号非通知着信拒否設定されていても、着信拒否を免れることができる。相手先などに応じて通知する発信元番号を選択可能であるので、専用番号を通知する場合と通知しない場合とを、適切に選択することができる。したがって、ダイレクトダイヤルイン番号などの専用番号を知らせたくない相手には、ダイレクトダイヤルイン番号を相手に伝えないようにして、代表番号などの共有番号を知らせるようにすることができる。
【００６５】
さらに本発明によれば、子機からの発信の場合に、その子機の専用番号または親機の共有番号のいずれを電話通信網に通知するかを、予め設定される発信毎の条件に従って選択するので、条件に応じて発信毎に選択することができる。専用番号または共有番号のいずれかは発信番号として通知されるので、相手先で番号非通知着信拒否設定されていても、着信拒否を免れることができる。相手先などに応じて通知する発信元番号を選択可能であるので、専用番号を通知する場合と通知しない場合とを、適切に選択することができる。したがって、たとえば個人用の子機のダイレクトダイヤルイン番号などの専用番号を知らせたくない相手には、専用番号を相手に伝えないようにして、家族用の親機の代表番号などの共有番号を知らせるようにすることができる。
【００６６】
また本発明によれば、子機から発信するときに、相手の電話番号が登録手段に登録されていれば、自動的に専用番号を発信元番号として通知することができる。子機の使用者が発信時に特別な操作をせずに、予め登録手段へ登録しておくか否かで、発信元番号を専用番号にするか共有番号にするかを変更することができるため、使用性が向上する。
【００６７】
また本発明によれば、登録手段に登録している電話番号でも、予め専用番号または共有番号のいずれを通知するかを指定しておくことができ、予め専用番号を通知するように指定情報を登録しておけば、自動的に専用番号を発信元番号として通知することができる。登録手段に登録されていても、指定情報で専用番号が指定されていなければ共有番号を通知するので、共有番号を通知する相手も登録手段に登録しておくことができる。子機の使用者が発信時に特別な操作をせずに、予め登録手段へ指定情報を登録しておくだけで、発信元番号を専用番号にするか共有番号にするかを変更することができるため、使用性が向上する。
【００６８】
また本発明によれば、登録手段を電話帳機能でも利用可能にし、電話帳機能で指定される電話番号を相手として発信することを専用番号を通知する選択条件に含めるので、専用番号を通知する相手に対する発信を容易に行うことができる。電話帳機能を使用しないで発信すれば、登録手段に専用番号を通知するように登録している相手に対しても、共有番号を通知する発信を行うこともできる。
【００６９】
また本発明によれば、親機の親機登録メモリに共有番号を通知すべき相手を登録しておけば、専用番号が選択されても優先的に共有番号を通知することができる。
【００７０】
また本発明によれば、子機の使用者は発信毎の操作で、発信元番号を専用番号とするか共有番号とするかを指定することができる。発信時に発信元番号を変更することができるため、使用者の自由度が増し、使用性が向上する。
【００７１】
また本発明によれば、データ通信網を介するデジタル電話通信で、複数の電話番号に対する着信処理をいったん親機で行い、専用番号に対する着信は、親機から子機を指定して行わせることができる。
【００７２】
また本発明によれば、親機はアナログ電話通信とデジタル電話通信とを、同一の加入者線を接続している状態で行うことができ、デジタル電話通信では、子機および親機がそれぞれ電話通信を行い、子機からは発信時に共有番号または専用番号のいずれかを選択して発信元番号として通知することができる。
【００７３】
また本発明によれば、アナログ電話通信またはデジタル電話通信のいずれかを選択するかと、発信元番号として専用番号または共有番号のいずれを通知するかとを、相手の電話番号に基づいて判定し、自動的に選択することができる。
【図面の簡単な説明】
【図１】本発明の実施の第１形態であるＶｏＩＰ電話機１の概略的な電気的構成を示すブロック図である。
【図２】図１のメモリ１０５に設けるＶｏＩＰ番号登録帳１０７の記憶内容の一例を示す図表である。
【図３】図１のメモリ１０５に設ける電話帳１０６の登録内容の一例を示す図表である。
【図４】図１のメモリ２０５に設ける電話帳２０６の登録内容の一例を示す図表である。
【図５】図１の制御ＣＰＵ１０４による概略的な制御手順を示すフローチャートである。
【図６】図１の制御ＣＰＵ２０４による概略的な制御手順を示すフローチャートである。
【図７】本発明の実施の第２形態であるＶｏＩＰ電話機３の概略的な電気的構成を示すブロック図である。
【図８】図７のメモリ４０５に設ける電話帳４０６の登録内容の一例を示す図表である。
【図９】図７の制御ＣＰＵ３０４による概略的な制御手順を示すフローチャートである。
【図１０】図７の制御ＣＰＵ４０４による概略的な制御手順を示すフローチャートである。
【図１１】本発明の実施の第３形態であるＶｏＩＰ電話機５の概略的な電気的構成を示すブロック図である。
【図１２】図１１の操作部６１１の概略的な構成を示す図である。
【図１３】図１１の制御ＣＰＵ６０４による概略的な制御手順を示すフローチャートである。
【符号の説明】
１，３，５  ＶｏＩＰ電話機
１０１，３０１  ＶｏＩＰ親機
１０２，３０２  電話部
１０４，２０４，３０４，６０４  制御ＣＰＵ
１０５，２０５，３０５，４０５  メモリ
１０６，２０６，４０６  電話帳
１０７  ＶｏＩＰ番号登録帳
１１０，２１０  ＲＦユニット
２０１，４０１，６０１  ＶｏＩＰ子機
６１１  操作部
７０１  専用キー
【図１】
2004193802.tif 000003
【図２】
2004193802.tif 000004
【図３】
2004193802.tif 000005
【図４】
2004193802.tif 000006
【図５】
2004193802.tif 000007
【図６】
2004193802.tif 000008
【図７】
2004193802.tif 000009
【図８】
2004193802.tif 000010
【図９】
2004193802.tif 000011
【図１０】
2004193802.tif 000012
【図１１】
2004193802.tif 000013
【図１２】
2004193802.tif 000014
【図１３】
2004193802.tif 000015